(57)【特許請求の範囲】
【請求項１】
切り欠きを有する内側前面板と、表示板を有する外側前面板とを有する前面板と、
前記前面板に連設された底面板と、
前記底面板に連設され、前記前面板と対向する後面板と、
前記前面板及び前記後面板に連設され、互いに対向する一対の側面板とを備え、
前記表示板は、前記外側前面板と接続されている縁部を有すると共に、前記縁部と交差する方向に延びる折り線を介して前記外側前面板に連設されており、
前記表示板を前記底面板側から前記前面板の上端方向に向かって折り上げることができるように、前記縁部は前記外側前面板から切り離し可能であることを特徴とする、表示板付箱。
【請求項２】
前記縁部は、前記切り欠きに沿う方向に延在することを特徴とする、請求項１に記載の表示板付箱。
【請求項３】
前記表示板は、前記切り欠きの一部と係合させるための係合切り欠きを有していることを特徴とする、請求項１又は２に記載の表示板付箱。
【請求項４】
切り欠きを有する前面板と、
前記前面板に連設された底面板と、
前記底面板に連設され、前記前面板と対向する後面板と、
前記前面板及び前記後面板に連設され、互いに対向する一対の側面板とを備え、
前記前面板は、表示板を有し、
前記表示板は、前記前面板と接続されている縁部を有すると共に、前記縁部と交差する方向に延びる折り線を介して前記前面板に連設されており、
前記表示板を前記底面板側から前記前面板の上端方向に向かって折り上げることができるように、前記縁部は前記前面板から切り離し可能であり、
前記表示板は、前記切り欠きに向かって突出する突出部を有しており、
前記切り欠きの一部と係合させるための係合切り欠きは、前記突出部の縁に形成されていることを特徴とする、表示板付箱。
【請求項５】
切り欠きを有する前面板と、
前記前面板に連設された底面板と、
前記底面板に連設され、前記前面板と対向する後面板と、
前記前面板及び前記後面板に連設され、互いに対向する一対の側面板とを備え、
前記前面板は、表示板を有し、
前記表示板は、前記前面板と接続されている縁部を有すると共に、前記縁部と交差する方向に延びる折り線を介して前記前面板に連設されており、
前記表示板を前記底面板側から前記前面板の上端方向に向かって折り上げることができるように、前記縁部は前記前面板から切り離し可能であり、
前記表示板の表示面を挟んで前記縁部の反対側に位置する縁部が、前記切り欠きに対して突出していることを特徴とする、表示板付箱。
【請求項６】
表示板付箱を組み立てるための板紙であって、
外側前面板及び切り欠きが形成された内側前面板と、
前記外側前面板に第１の折り線を介して連設された第１の側面板と、
前記内側前面板に第２の折り線を介して連設された第２の側面板と、
前記第１の側面板及び前記第２の側面板に一対の折り線を介して連設された後面板と、
前記第１の側面板に第３の折り線を介して連設された第１の底面板と、
前記第２の側面板に第４の折り線を介して連設された第２の底面板とを備え、
前記外側前面板は、第５の折り線を介して連設された表示板を有し、
前記表示板は、前記外側前面板と接続されている縁部を有し、
前記表示板付箱を組み立てた際に前記表示板を前記第１及び第２の底面板側から前記外側前面板の上端方向に向かって折り上げることができるように、前記縁部は前記外側前面板から切り離し可能であることを特徴とする、板紙。
【発明の詳細な説明】
【技術分野】
【０００１】
本発明は、ガム又はチョコレート等の商品を収納し且つ店頭陳列に兼用できる箱に関し、特に表示板及び外側表面に片面印刷をすることができる表示板付箱、及び当該表示板付箱を組み立てるための板紙に関する。
【背景技術】
【０００２】
従来、商品を収納し陳列するための箱として、図９及び図１０に示すような包装用容器５０１が知られている（特許文献１）。特許文献１には、前壁５０４の前方に突出する第２部位の下部５０９ｂの表面に、収納する物品に関する情報を表示することができると記載されている。
【先行技術文献】
【特許文献】
【０００３】
【特許文献１】特開平１１−３４８９７３号公報
【発明の概要】
【発明が解決しようとする課題】
【０００４】
この従来の容器５０１においては、下部５０９ｂを容器５０１の前方へ突出させるために３回の折り曲げを行う。すなわち１回目の折り曲げとして、前壁５０４から第１部位５０８を切り離し、前壁５０４の外側へ折り曲げる。次いで、２回目の折り曲げとして、第２部位の下部５０９ｂを第１部位５０８の内面側へ折り曲げる。そして、３回目の折り曲げとして、第２部位の上部５０９ａを開口部５２６から前壁５０４の内側へ折り曲げる。
【０００５】
そのため、物品に関する情報が表示された下部５０９ｂと折り重なる部分を設ける必要がある。その結果、容器５０１の作成に必要となる材料の面積が大きくなり、容器５０１の製造コストが高くなってしまっていた。また、このような容器５０１は、組立が煩雑であるという問題もあった。
【課題を解決するための手段】
【０００６】
本発明の表示板付箱は、前面板と、前記前面板に連設された底面板と、前記底面板に連設され、前記前面板と対向する後面板と、前記前面板及び前記後面板に連設され、互いに対向する一対の側面板とを備え、前記前面板は、表示板を有し、前記表示板は、前記前面板と接続されている縁部を有すると共に、前記縁部と交差する方向に延びる折り線を介して前記前面板に連設されており、前記表示板を前記底面板側から前記前面板の上端方向に向かって折り上げることができるように、前記縁部は前記前面板から切り離し可能であることを特徴とする。
【０００７】
また、本発明の板紙は、表示板付箱を組み立てるための板紙であって、外側前面板及び内側前面板と、前記外側前面板に第１の折り線を介して連設された第１の側面板と、前記内側前面板に第２の折り線を介して連設された第２の側面板と、前記第１の側面板及び前記第２の側面板に一対の折り線を介して連設された後面板と、前記第１の側面板に第３の折り線を介して連設された第１の底面板と、前記第２の側面板に第４の折り線を介して連設された第２の底面板とを備え、前記外側前面板は、第５の折り線を介して連設された表示板を有し、前記表示板は、前記外側前面板と接続されている縁部を有し、前記表示板付箱を組み立てた際に前記表示板を前記第１及び第２の底面板側から前記外側前面板の上端方向に向かって折り上げることができるように、前記縁部は前記外側前面板から切り離し可能であることを特徴とする。
【０００８】
本発明によれば、前面板に連設する表示板を１回折り倒すのみで表示板を表示板付箱の前方へ配置することができる。そのため、高い宣伝効果を発揮しながら、表示板付箱の組立を容易にすることができる。また、折り重なる部分を設ける必要がないので、表示板付箱を製造するために必要な材料の使用量を減らすことが可能となる。そのため、表示板付箱の製造コストを低くすることができる。
【図面の簡単な説明】
【０００９】
【図１】組み立てた状態の表示板付箱を示す概略斜視図である。
【図２】表示板付箱の展開図である。
【図３】表示板付箱の内側前面板を示す概略斜視図である。
【図４】表示板を折り倒した状態を示す概略斜視図である。
【図５】表示板の概略拡大図である。
【図６】第２実施形態の表示板付箱を示す概略斜視図である。
【図７】第２実施形態の表示板付箱の展開図である。
【図８】第３実施形態の表示板付箱を示す概略斜視図である。
【図９】前面側から見た従来の表示板付箱を示す概略斜視図である。
【図１０】後面側から見た従来の表示板付箱を示す概略斜視図である。
【発明を実施するための形態】
【００１０】
図１において、本発明の表示板付箱１は、内側前面板２１及び外側前面板２２を有する前面板２と、前面板２に連設された底面板４と、底面板４に連設された後面板３とを備えている。そして、前面板２及び後面板３は、底面板４を挟んで対向している。また、表示板付箱１は、前面板２及び後面板３に連設された一対の側面板５Ａ，５Ｂを備えている。この一対の側面板５Ａ，５Ｂも、底面板４を挟んで対向している。
【００１１】
図２に示すように、外側前面板２２は、第１の折り線５１を介して第１の側面板５Ａに連設されている。また、内側前面板２１は、第２の折り線５２を介して第２の側面板５Ｂに連設されている。そして、後面板３は、一対の折り線５５，５６を介して第１の側面板５Ａ及び第２の側面板５Ｂに連設されている。さらに、第１の側面板５Ａには第３の折り線５３を介して第１の底面板４１が連設されており、第２の側面板５Ｂには第４の折り線５４を介して第２の底面板４２が連設されている。
【００１２】
また、底面板４は、第１の底面板４１，第２の底面板４２，第３の底面板４３及び第４の底面板４４を有する。そして、底面板４は、第１の底面板４１，第２の底面板４２，第３の底面板４３及び第４の底面板４４を組み合わせ又は貼着することにより形成することができる。第３の底面板４３は折り線３４を介して後面板３に連設されており、第４の底面板４４は折り線２４を介して内側前面板２１に連設されている。なお、表示板付箱１は、段ボール又は板紙のブランクなどの折り畳み可能なシート状の材料から形成される。
【００１３】
第１の側面板５Ａ及び第２の側面板５Ｂに連設された第１の底面板４１及び第２の底面板４２には、それぞれ折り線４５を介してのり代４０が連設されている。そして、表示板付箱１を組み立てる際には、第１の底面板４１を折り返して第３の底面板４３にのり代４０を貼着すると共に、第２の底面板４２を折り返して第４の底面板４４にのり代４０を貼着する。なお、貼着は接着剤、シール又は粘着テープなどを使用する任意の方法で行うことができる。また、上記折り線２４，３４，４５，５１，５２，５３，５４,５５，５６は、ミシン目で形成することができる。
【実施例】
【００１４】
［第１実施形態］
以下、本発明の第１実施形態について説明する。図１において、前面板２は、表示板付箱１の内側に位置する内側前面板２１と、表示板付箱１の外側に位置する外側前面板２２とを有する。また、内側前面板２１及び外側前面板２２は、重ね合わされた状態で貼着されている。そして、前面板２は、商品を取り出しやすくするための切り欠き２０を有している。
【００１５】
この切り欠き２０を説明するために、外側前面板２２を省略した状態の表示板付箱１を図３に示す。図３及び図１の比較から明らかなように、切り欠き２０は、組み立てられた状態において、内側前面板２１の縁と外側前面板２２の縁とにより画定される。そして、後述するように表示板６は底面板４側に向かって延在している。そのため、切り欠き２０をこの様に構成すれば、表示板６を小さくすることなく、表示板付箱１の内部の商品の摘まみやすさを維持できる範囲で切り欠き２０の大きさを小さくできる。さらに、前面板２の上端２８側の領域は、折り倒した表示板６と重なることがない。そのため、表示板６を折り倒した後であっても、外側前面板２２における外部から視認可能な領域を広く確保できる。これにより、表示板６及び外側前面板２２における表示可能なスペースを広く確保することができ、高い宣伝効果を発揮することが可能となる。
【００１６】
また、前面板２は表示板６を有し、表示板６は第５の折り線２６を介して前面板２の外側前面板２２に連設されている。そして、表示板６の表面側、すなわち表示板付箱１の外面側には、商品名、宣伝文、数量又は金額等の表示が印刷されている。このような印刷は、表示板付箱１を組み立てる前の板紙の状態で行われる。この印刷は表面側にのみ施されており、表示板付箱１の裏面側には印刷が施されていない。このように表示板付箱１の片面のみに印刷を施すことにより、印刷工程を簡単にすることができる。また、板紙の裏面側にコーティング等の処理を施す必要が無いため、安価な板紙を使用することができる。これにより、低コスト且つ容易に製造可能な表示板付箱１を提供することができる。なお、表示板６以外の、前面板２、後面板３又は側面板５Ａ，５Ｂの表面側にも印刷を施すことが可能である。本発明によれば、この場合であっても、表示板６と、前面板２、後面板３及び側面板５Ａ，５Ｂとを同時に片面印刷可能である。
【００１７】
表示板６は、前面板２と切り離し可能に接続されている縁部６２を有する。この縁部６２は、第５の折り線２６と交差する方向に延びている。そして、表示板６は、第５の折り線２６から底面板４側に向かって延在している。これにより、表示板６を、底面板４側から、すなわち前面板２の下端２７側から上端２８方向に向かって折り上げることができる。つまり、表示板付箱１を陳列する際に縁部６２が外側前面板２２から切り離され、表示板６が表示板付箱１の上方且つ前面板２の前方に向かって前面板２から離れるように折り倒される。なお、縁部６２は、ミシン目等によって前面板２の外側前面板２２に接続されている。そして、第５の折り線２６のミシン目は、表示板６を折り倒す際に切り離してしまわないように、縁部６２のミシン目よりも小さい切込みによって形成されている。
【００１８】
また、表示板６は係合切り欠き６０を有する。そして、この係合切り欠き６０を切り欠き２０の一部に係合させることにより、表示板６を図４に示す表示位置に固定することができる。このように表示位置に固定された表示板６は、前面板２に対して所定の角度を維持しながら固定される。これにより、表示板付箱１の外部、特に上方向から表示板６の表示面（外面）を容易に観察可能である。そのため、本発明の表示板付箱１によれば、高い宣伝効果を発揮することができる。なお、本発明の表示板６の表示面は、表示板６を折り上げない状態（図１）においても外部から観察可能である。そのため、表示板６を折り倒さずに陳列した場合であっても、宣伝効果を発揮することはできる。
【００１９】
表示板６は、所定の情報が印刷された表示面を挟んで縁部６２に対して反対側の位置に、反対側縁部６３を有している。反対側縁部６３は前面板２に接続されていない自由端であり、係合切り欠き６０は、この反対側縁部６３に形成されている。なお、組み立てられた状態では、縁部６２及び反対側縁部６３が共に、切り欠き２０に沿う方向に延在している。すなわち、縁部６２及び反対側縁部６３が、切り欠き２０の開口側から前面板２の内方に向かう方向に延在している。そのため、本実施形態においては、表示板６の縁部６２と切り欠き２０の縁とが略平行に延在している。また、前面板２と側面板５Ａ，５Ｂとの角部５０も、表示板６の縁部６２及び切り欠き２０の縁と略平行に延在している。ただし、表示板６を台形状に形成するなどして、縁部６２を切り欠き２０の縁に対して傾いた方向に延在させることも可能である。
【００２０】
図２は、本発明の表示板付箱１を形成するための板紙を示している。この板紙は、前面板２の外側前面板２２及び内側前面板２１と、後面板３とを備えている。内側前面板２１には、折り線２４を介して第４の底面板４４が連設されている。そして、後面板３には、折り線３４を介して第３の底面板４３が連設されている。表示板付箱１を組み立てる際には、この第３の底面板４３に、第１の底面板４１ののり代４０を貼着する。そして、第４の底面板４４に、第２の底面板４２ののり代４０を貼着する。また、外側前面板２２には、組立後に内側前面板２１と重なる部分にのり代２２０が設けられており、のり代２２０は内側前面板２１に貼着される。さらに、内側前面板２１には、切り欠き２０が形成されている。そのため、組み立てられた表示板付箱１においては、外側前面板２２の一部が切り欠き２０の一部に重なることにより、切り欠き２０が画定されることになる。
【００２１】
外側前面板２２は、第５の折り線２６を介して連設された表示板６を有する。そして、表示板６は、外側前面板２２と切り離し可能に接続されている縁部６２を有する。この縁部６２は、第５の折り線２６と交差する方向に延在しており、図２においては略直交する方向に延在している。これにより、表示板付箱１を組み立てた際には、表示板６を第１及び第２の底面板４１，４２側から前面板２の上端２８方向に向かって折り上げることができる。
【００２２】
図５に示すように、表示板６は、第５の折り線２６に対して突出する突出部６４を有している。そして、係合切り欠き６０は、突出部６４の縁に形成されている。また、突出部６４の係合切り欠き６０が形成された縁とは反対側に位置する縁は、前面板２から切り離されて切込み６５を形成している。すなわち、突出部６４は、切込み６５の長さ分だけ表示板６の本体部分から突出している。これにより、表示板６を折り倒した状態では、突出部６４が表示板付箱１の内側に突出することになる。このように、係合切り欠き６０及び切込み６５を形成することにより、容易且つ確実に表示板６を表示位置へ固定することができる。
【００２３】
［第２実施形態］
図６及び図７を参照して、本発明の第２実施形態について説明する。図６は本実施形態の表示板付箱１の概略斜視図であり、図７は組立前の表示板付箱１の展開図である。なお、第１実施形態と同様の構成については同じ符号を付して、その説明を省略する。
【００２４】
本実施形態の表示板付箱１においては、表示板６が第１実施形態よりも幅広に形成されている。すなわち、表示板６の反対側縁部６３が、内側前面板２１と側面板５Ｂとの角部５０に到るまで延在している。そのため、反対側縁部６３は、前面板２の切り欠き２０から角部５０側に向かって突出している。また、図７に示す組立前の状態においては、反対側縁部６３が、表示板６の突出部６４から突出する。このように、表示板６を幅広に形成することによって、印刷可能な領域を広くすることができる。
【００２５】
なお、本実施形態においては、表示板６が前面板２の面内に略収まる大きさである。しかし、表示板６の大きさはこれに限られず、内側前面板２１からはみ出すほどに大きく形成することもできる。
【００２６】
［第３実施形態］
図８を参照して、本発明の第３実施形態について説明する。図８は本実施形態の表示板付箱１の概略斜視図である。なお、第１実施形態と同様の構成については同じ符号を付して、その説明を省略する。
【００２７】
本実施形態においては、表示板６の縁部６２に加えて反対側縁部６３も、切り離し可能に外側前面板２２と接続されている。すなわち、表示板６の縁部６２及び反対側縁部６３のいずれもが、ミシン目等により外側前面板２２から切り離し可能である。そして、外側前面板２２と内側前面板２１とは、表示板６を挟んで両側の端部で重なり合い且つ貼着されている。
【００２８】
このような本実施形態によれば、表示板付箱１の形成に必要な材料の面積は増加するが、表示板付箱１の強度を向上させることができる。なお、本実施形態においては、切込み６５と同様に、係合切り欠き６０も外側前面板２２から切り離された状態となっている。
【００２９】
以上、実施例を参照して本発明について説明したが、本発明は上記実施例に限定されるものではない。本発明に反しない範囲で変更された発明、及び本発明と均等な発明も本発明に含まれる。また、上述の各実施形態及び変形例は、本発明に反しない範囲で適宜組み合わせることができる。
【００３０】
例えば、前面板２、側面板５Ａ，５Ｂ及び後面板３の上端側に、切り離し可能な蓋板を連設することができる。上記各実施形態において、表示板付箱１は開口部分を備え、この開口部分は前面板２、後面板３及び側面板５Ａ，５Ｂの上端側の縁によって画定される。この点、蓋板を連設した場合は、開口部分を蓋板によって塞ぐことにより、表示板付箱１内に収納された商品が箱外にこぼれ落ちることを防止できる。商品の輸送する際には蓋板により開口部分を塞ぎ、陳列する際には商品を取り出すために蓋板を切り離すことになる。
【符号の説明】
【００３１】
１：表示板付箱、２：前面板、３：後面板、４：底面板、５Ａ：：第１の側面板、５Ｂ：第２の側面板、６：表示板、２０：切り欠き、２１：内側前面板、２２：外側前面板、２４：折り線、２６：第５の折り線、２７：前面板の下端、２８：前面板の上端、３４：折り線、４０：のり代、４１：第１の底面板、４２：第２の底面板、４３：第３の底面板、４４：第４の底面板、４５：折り線、５０：角部、５１：第１の折り線、５２：第２の折り線、５３：第３の折り線、５４：第４の折り線、５５：折り線、５６：折り線、６０：係合切り欠き、６２：縁部、６３：反対側縁部、６４：突出部、６５：切込み、２２０：のり代、５０１：容器、５０４：前壁、５０８：第１部位、５０９ａ：第２部位の上部、５０９ｂ：第２部位の下部、５２６：開口部
【図１】
0005635349.tif 000002
【図２】
0005635349.tif 000003
【図３】
0005635349.tif 000004
【図４】
0005635349.tif 000005
【図５】
0005635349.tif 000006
【図６】
0005635349.tif 000007
【図７】
0005635349.tif 000008
【図８】
0005635349.tif 000009
【図９】
0005635349.tif 000010
【図１０】
0005635349.tif 000011